(57)【要約】
【課題】本考案は、工業用コンピュータのバックプレーン、特にＡＧＰを具えるバックプレーンを提供する。
【解決手段】ＣＰＵインタフェースカードに電気的に接続され、ＰＣＩバスの伝送によって前記ＣＰＵインタフェースカードの機能を実行する前記ＰＣＩ拡張スロットと、前記ＰＣＩ拡張スロットと一列に配置され、前記ＣＰＵインタフェースカードを同時に前記ＰＣＩ拡張スロットに差し込ませるＩＳＡ/ＥＩＳＡ拡張スロットと、ＡＧＰインタフェースカードを拡張することとして使われ、前記ＩＳＡ/ＥＩＳＡ拡張スロット或いは前記ＰＣＩ拡張スロットと相隣するＡＧＰ拡張スロットとを含む。
【選択図】図２
0003100337.tif 000002
【実用新案登録請求の範囲】
【請求項１】
　ＡＧＰ拡張スロットを具え、ＣＰＵインタフェースカードと合わせて、コンピュータシステムを構成するバックプレーンであって、
　少なくともＰＣＩ拡張スロットと、ＩＳＡ/ＥＩＳＡ拡張スロットと、前記ＡＧＰ拡張スロットとを含んでなり、
　前記ＰＣＩ拡張スロットは、前記ＣＰＵインタフェースカードに電気的に接続され、ＰＣＩバスの伝送によって前記ＣＰＵインタフェースカードの機能を実行し、
　前記ＩＳＡ/ＥＩＳＡ拡張スロットは、前記ＰＣＩ拡張スロットと一列に配置され、前記ＣＰＵインタフェースカードは同時に前記ＰＣＩ拡張スロットと前記ＩＳＡ/ＥＩＳＡ拡張スロットに差し込まれ、
　前記ＡＧＰ拡張スロットは、ＡＧＰインタフェースカードを拡張するのに使われ、前記ＩＳＡ/ＥＩＳＡ拡張スロット或いは前記ＰＣＩ拡張スロットと相隣ることを特徴とするバックプレーン。
【請求項２】
　前記ＡＧＰインタフェースカードは、エッジコネクタによって前記ＡＧＰ拡張スロットに差し込まれ、前記ＡＧＰインタフェースカードと前記ＡＧＰ拡張スロットを電気的に接触させることを特徴とする請求項１記載のバックプレーン。
【請求項３】
　ＡＧＰ拡張スロットを具えるバックプレーンであって、
　少なくともＰＣＩ拡張スロットと、第一ＡＧＰ拡張スロットと、第二ＡＧＰ拡張スロットとを含んでなり、
　前記ＰＣＩ拡張スロットは、ＰＣＩバスを具えるＣＰＵインタフェースカードに電気的に接続され、前記ＰＣＩバスの伝送によって前記ＣＰＵインタフェースカードの機能を実行し、
　前記第一ＡＧＰ拡張スロットは、前記ＰＣＩ拡張スロットと一列に配置され、前記ＣＰＵインタフェースカードは同時に前記ＰＣＩ拡張スロットと前記第一ＡＧＰ拡張スロットに差し込まれ、
　前記第二ＡＧＰ拡張スロットは、前記第一ＡＧＰ拡張スロットの電気的な延長であり、外付けのＡＧＰインタフェースカードを拡張するのに使われることを特徴とするバックプレーン。
【請求項４】
　前記ＡＧＰインタフェースカードは、エッジコネクタによって前記第二ＡＧＰ拡張スロットに差し込まれ、前記ＡＧＰインタフェースカードと前記第二ＡＧＰ拡張スロットとを電気的に接触させることを特徴とする請求項３記載のバックプレーン。
【請求項５】
　ＡＧＰ拡張スロットを具えるバックプレーンであって、
　少なくともＩＳＡ/ＥＩＳＡ拡張スロットと、前記ＡＧＰ拡張スロットとを含んでなり、
　前記ＩＳＡ/ＥＩＳＡ拡張スロットは、ＩＳＡ/ＥＩＳＡバスを具えるＣＰＵインタフェースカードに電気的に接続され、前記ＩＳＡ/ＥＩＳＡバスの伝送によって前記ＣＰＵインタフェースカードの機能を実行し、
　前記ＡＧＰ拡張スロットは、前記ＩＳＡ/ＥＩＳＡ拡張スロットと相隣り、外付けのＡＧＰインタフェースカードに電気的に接続され、前記ＣＰＵインタフェースカードのＡＧＰバスを拡張するのに使われることを特徴とするバックプレーン。
【請求項６】
　前記ＡＧＰインタフェースカードは、エッジコネクタによって前記ＡＧＰ拡張スロットに差し込まれ、前記ＡＧＰインタフェースカードと前記ＡＧＰ拡張スロットとを電気的に接触させることを特徴とする請求項５記載のバックプレーン。
【請求項７】
　ＣＰＵインタフェースカードと合わせて、コンピュータシステムを構成するバックプレーンであって、
　少なくとも第一タイプバス拡張スロットと、ＡＧＰ拡張スロットとを含んでなり、
　前記第一タイプバス拡張スロットは、前記バックプレーンの上に固定され、前記ＣＰＵインタフェースカードに電気的に接続され、第一タイプバスの伝送によって前記ＣＰＵインタフェースカードの機能を実行し、
　前記ＡＧＰ拡張スロットは、前記バックプレーンの上に固定され、前記ＣＰＵインタフェースカードの隣にあり、前記ＣＰＵインタフェースカードに対して、外付けのＡＧＰインタフェースカードを拡張し、前記ＡＧＰインタフェースカードと前記ＣＰＵインタフェースカードが、それぞれ垂直方向に前記バックプレーンにある前記ＡＧＰ拡張スロット及び前記第一タイプバス拡張スロットに差し込まれることを特徴とするバックプレーン。
【請求項８】
　前記バックプレーンは、更に第二タイプバス拡張スロットを含み、前記第二タイプバス拡張スロットが、前記第一タイプバス拡張スロットと一列に配置され、前記ＣＰＵインタフェースカードは同時に前記第一タイプバス拡張スロットと前記第二タイプバス拡張スロットに差し込まれることを特徴とする請求項７記載のバックプレーン。
【請求項９】
　前記第一タイプバス拡張スロットは、ＰＣＩ拡張スロットであることを特徴とする請求項７記載のバックプレーン。
【請求項１０】
　前記第二タイプバス拡張スロットは、ＩＳＡ/ＥＩＳＡ拡張スロットであることを特徴とする請求項８記載のバックプレーン。
【請求項１１】
　前記第二タイプバス拡張スロットは、ＡＧＰ拡張スロットであることを特徴とする請求項８記載のバックプレーン。
【請求項１２】
　前記第一タイプバス拡張スロットは、ＩＳＡ/ＥＩＳＡ拡張スロットであることを特徴とする請求項７記載のバックプレーン。
【考案の詳細な説明】
【技術分野】
【０００１】
　本考案は、工業用コンピュータのバックプレーンに関し、特にＡＧＰを具えるバックプレーンに関する。
【背景技術】
【０００２】
　ＩＴ情報技術の進歩につれて、コンピュータ産業の全体が急速に発展し、一般のパソコンやノートパソコンが幅広く各産業に応用され、特に製造業で工業用コンピュータを大量的に使うことによって色々な産品を生産する。産品の生産能率を上げるために、工業用コンピュータの中に使われる主な周辺機器（例えば、マザーボード、グラフィックカード、ハードディスクなど）は、すでに加速演算、速急表示、高記憶容量などの目標を達成することが設計重点になる。
【０００３】
　工業用コンピュータの応用領域の中で、サーバは、必ず他のコンピュータと通信を行い、或いは端末機によって遠隔制御を行う。情報通信或いは遠隔制御にも関らず、グラフィックカードによって操作画面がサーバと端末機との間に往復的に伝送されることは、必要であり、その操作画面が生産流れと関連し、その表示速度がグラフィックカードのバス規格と関係する。
【０００４】
　一般的に、グラフィックカードは、ＰＣＩ(Peripheral Component Interconnect)インタフェース規格が主であるが、画像データの伝送量の大幅に増加することに従って、ＰＣＩインタフェース規格の伝送速度は、最近要求される速度に追いつかない。従って、更に速いインタフェース規格を採用することによって画像伝送を行うことが、必要であり、ＡＧＰ(Accelerated Graphic
Port)インタフェース規格が最近よく採用されるグラフィックインタフェース規格である。
【０００５】
　図１に従来技術によるＡＧＰを具えるバックプレーンの基本構造を説明します。
【０００６】
　従来技術によるバックプレーン１００は、ＡＧＰ拡張スロット１０２によって画像伝送を行うが、ＡＧＰ拡張スロット１０２がＣＰＵインタフェースカード１０４の上に直接に半田され、次にＡＧＰ拡張スロット１０２にＡＧＰグラフィックカード１０８を差込み、更にＡＧＰフラットケーブル（現れていない）によってディスプレーに接続し、その中、ＣＰＵインタフェースカード１０４が直接に拡張スロット１０６に差し込まれる。しかし、ＡＧＰグラフィックカード１０８は、ＣＰＵインタフェースカード１０４と垂直する形で、横方向にＡＧＰ拡張スロット１０２に差し込まれ、この横差の形が、隣接する他の拡張スロット（現れていない）の空間を占め、使える拡張カードの数が大幅に減る。
【０００７】
　従来技術によるＡＧＰグラフィックカード１０８をＣＰＵインタフェースカード１０４の中に内蔵することができるが、使用者が自由に必要されるグラフィックカードを選ぶことができなくなる。使用者は、異なる用途に応じて、異なるタイプのグラフィックカードを選ばなければならない時に、内蔵されるＡＧＰグラフィックカード１０８が逆に無駄になる。即ち、使用者は、内蔵されるＡＧＰグラフィックカード１０８のコストを払わなければならないし、更に他のグラフィックカードを選ぶ柔軟性が下がる。
【０００８】
　ＡＧＰ配置の改善及びグラフィックカードの使用する柔軟性を上げることは、バックプレーン設計に対して、急いで解決されなければならない課題である。
【考案の開示】
【考案が解決しようとする課題】
【０００９】
　本考案は、ＡＧＰ配置の改善及びグラフィックカードの使用する柔軟性を提供することを課題とする。
【課題を解決するための手段】
【００１０】
　そこで、本考案者は従来の技術に見られる欠点に鑑み鋭意研究を重ねた結果、ＡＧＰ拡張スロットを具え、ＣＰＵインタフェースカードと合わせて、コンピュータシステムを構成するバックプレーンであって、少なくともＰＣＩ拡張スロットと、ＩＳＡ/ＥＩＳＡ拡張スロットと、前記ＡＧＰ拡張スロットとを含んでなり、前記ＰＣＩ拡張スロットは、前記ＣＰＵインタフェースカードに電気的に接続され、ＰＣＩバスの伝送によって前記ＣＰＵインタフェースカードの機能を実行し、前記ＩＳＡ/ＥＩＳＡ拡張スロットは、前記ＰＣＩ拡張スロットと一列に配置され、前記ＣＰＵインタフェースカードを同時に前記ＰＣＩ拡張スロットと前記ＩＳＡ/ＥＩＳＡ拡張スロットに差し込ませ、前記ＡＧＰ拡張スロットは、ＡＧＰインタフェースカードを拡張することとして使われ、前記ＩＳＡ/ＥＩＳＡ拡張スロット或いは前記ＰＣＩ拡張スロットと相隣する構造によって課題を解決できる点に着眼し、かかる知見に基づいて本考案を完成させた。
【００１１】
　請求項１に記載するバックプレーンは、ＡＧＰ拡張スロットを具え、ＣＰＵインタフェースカードと合わせて、コンピュータシステムを構成するバックプレーンであって、少なくともＰＣＩ拡張スロットと、ＩＳＡ/ＥＩＳＡ拡張スロットと、前記ＡＧＰ拡張スロットとを含んでなり、前記ＰＣＩ拡張スロットは、前記ＣＰＵインタフェースカードに電気的に接続され、ＰＣＩバスの伝送によって前記ＣＰＵインタフェースカードの機能を実行し、前記ＩＳＡ/ＥＩＳＡ拡張スロットは、前記ＰＣＩ拡張スロットと一列に配置され、前記ＣＰＵインタフェースカードは同時に前記ＰＣＩ拡張スロットと前記ＩＳＡ/ＥＩＳＡ拡張スロットに差し込まれ、前記ＡＧＰ拡張スロットは、ＡＧＰインタフェースカードを拡張するのに使われ、前記ＩＳＡ/ＥＩＳＡ拡張スロット或いは前記ＰＣＩ拡張スロットと相隣る。
【００１２】
　請求項２に記載するバックプレーンは、請求項１におけるＡＧＰインタフェースカードは、エッジコネクタによって前記ＡＧＰ拡張スロットに差し込まれ、前記ＡＧＰインタフェースカードと前記ＡＧＰ拡張スロットを電気的に接触させる。
【００１３】
　請求項３に記載するバックプレーンは、ＡＧＰ拡張スロットを具えるバックプレーンであって、少なくともＰＣＩ拡張スロットと、第一ＡＧＰ拡張スロットと、第二ＡＧＰ拡張スロットとを含んでなり、前記ＰＣＩ拡張スロットは、ＰＣＩバスを具えるＣＰＵインタフェースカードに電気的に接続され、前記ＰＣＩバスの伝送によって前記ＣＰＵインタフェースカードの機能を実行し、前記第一ＡＧＰ拡張スロットは、前記ＰＣＩ拡張スロットと一列に配置され、前記ＣＰＵインタフェースカードは同時に前記ＰＣＩ拡張スロットと前記第一ＡＧＰ拡張スロットに差し込まれ、前記第二ＡＧＰ拡張スロットは、前記第一ＡＧＰ拡張スロットの電気的な延長であり、外付けのＡＧＰインタフェースカードを拡張するのに使われる。
【００１４】
　請求項４に記載するバックプレーンは、請求項３におけるＡＧＰインタフェースカードは、エッジコネクタによって前記第二ＡＧＰ拡張スロットに差し込まれ、前記ＡＧＰインタフェースカードと前記第二ＡＧＰ拡張スロットとを電気的に接触させる。
【００１５】
　請求項５に記載するバックプレーンは、ＡＧＰ拡張スロットを具えるバックプレーンであって、少なくともＩＳＡ/ＥＩＳＡ拡張スロットと、前記ＡＧＰ拡張スロットとを含んでなり、前記ＩＳＡ/ＥＩＳＡ拡張スロットは、ＩＳＡ/ＥＩＳＡバスを具えるＣＰＵインタフェースカードに電気的に接続され、前記ＩＳＡ/ＥＩＳＡバスの伝送によって前記ＣＰＵインタフェースカードの機能を実行し、前記ＡＧＰ拡張スロットは、前記ＩＳＡ/ＥＩＳＡ拡張スロットと相隣り、外付けのＡＧＰインタフェースカードに電気的に接続され、前記ＣＰＵインタフェースカードのＡＧＰバスを拡張するのに使われる。
【００１６】
　請求項６に記載するバックプレーンは、請求項５におけるＡＧＰインタフェースカードは、エッジコネクタによって前記ＡＧＰ拡張スロットに差し込まれ、前記ＡＧＰインタフェースカードと前記ＡＧＰ拡張スロットとを電気的に接触させる。
【００１７】
　請求項７に記載するバックプレーンは、ＣＰＵインタフェースカードと合わせて、コンピュータシステムを構成するバックプレーンであって、少なくとも第一タイプバス拡張スロットと、ＡＧＰ拡張スロットとを含んでなり、前記第一タイプバス拡張スロットは、前記バックプレーンの上に固定され、前記ＣＰＵインタフェースカードに電気的に接続され、第一タイプバスの伝送によって前記ＣＰＵインタフェースカードの機能を実行し、前記ＡＧＰ拡張スロットは、前記バックプレーンの上に固定され、前記ＣＰＵインタフェースカードの隣にあり、前記ＣＰＵインタフェースカードに対して、外付けのＡＧＰインタフェースカードを拡張し、前記ＡＧＰインタフェースカードと前記ＣＰＵインタフェースカードが、それぞれ垂直方向に前記バックプレーンにある前記ＡＧＰ拡張スロット及び前記第一タイプバス拡張スロットに差し込まれる。
【００１８】
　請求項８に記載するバックプレーンは、請求項７におけるバックプレーンは、更に第二タイプバス拡張スロットを含み、前記第二タイプバス拡張スロットが、前記第一タイプバス拡張スロットと一列に配置され、前記ＣＰＵインタフェースカードは同時に前記第一タイプバス拡張スロットと前記第二タイプバス拡張スロットに差し込まれる。
【００１９】
　請求項９に記載するバックプレーンは、請求項７における第一タイプバス拡張スロットは、ＰＣＩ拡張スロットである。
【００２０】
　請求項１０に記載するバックプレーンは、請求項８における第二タイプバス拡張スロットは、ＩＳＡ/ＥＩＳＡ拡張スロットである。
【００２１】
　請求項１１に記載するバックプレーンは、請求項８における第二タイプバス拡張スロットは、ＡＧＰ拡張スロットである。
【００２２】
　請求項１２に記載するバックプレーンは、請求項７における第一タイプバス拡張スロットは、ＩＳＡ/ＥＩＳＡ拡張スロットである。
【考案の効果】
【００２３】
　本考案によるＡＧＰを具えるバックプレーンによれば、バックプレーンにＡＧＰ拡張スロットを増加することによって、使用者がもっとよい品質のグラフィックカードを選択することができ、工業用コンピュータの伝送速度を上げることができる。更にバックプレーンの上にあるインタフェース拡張スロットに適切な変更を加え、バックプレーンの拡張スロットを配置することによって、拡張スロットの使用柔軟性を増やすことができ、更に全体の製造コストは増加しない。従って、本考案によるバックプレーンは、インタフェースカードの使用柔軟性を上げること及びコストを下げることができる。
【考案を実施するための最良の形態】
【００２４】
　本考案は、工業用コンピュータのバックプレーンに関し、特にＡＧＰを具えるバックプレーンに関し、ＣＰＵインタフェースカードに電気的に接続され、ＰＣＩバスの伝送によって前記ＣＰＵインタフェースカードの機能を実行する前記ＰＣＩ拡張スロットと、前記ＰＣＩ拡張スロットと一列に配置され、前記ＣＰＵインタフェースカードは同時に前記ＰＣＩ拡張スロットに差し込まれるＩＳＡ/ＥＩＳＡ拡張スロットと、ＡＧＰインタフェースカードを拡張するのに使われ、前記ＩＳＡ/ＥＩＳＡ拡張スロット或いは前記ＰＣＩ拡張スロットと相隣るＡＧＰ拡張スロットとによって、バックプレーンを構成する。
【００２５】
　かかるバックプレーンの構造と特徴を詳述するために、具体的な実施例を挙げ、図示を参照にして以下に説明する。
【００２６】
　従来技術による工業用コンピュータのバックプレーンにＡＧＰを設けていない欠点に対して、本考案は、ＡＧＰを具えるバックプレーンを提供し、更にバックプレーンの上にＡＧＰ拡張スロットを増加することによって、使用者が自由に品質のよりよいＡＧＰグラフィックカードを選べ、工業用コンピュータの画像伝送速度を上げる。ＡＧＰ拡張スロットを適切に配置することによって、バックプレーンの使用柔軟性を上げる。図面と合わせて、本考案による設定できるバックプレーンの実施例を説明する。
【実施例１】
【００２７】
　図２を参照するに、図２は、本考案によるＡＧＰを具えるバックプレーンの第一の実施例を表す説明図である。本考案によるＡＧＰ拡張スロット２００を具えるバックプレーン２１０は、ＣＰＵインタフェースカード２０４及び他の周辺機器と合わせて、コンピュータシステムを構成し、その中、バックプレーン２１０が複数の異なるタイプの標準バス拡張スロット（例えば、ＰＣＩ拡張スロット２０６、ＩＳＡ/ＥＩＳＡ拡張スロット２０８及びＡＧＰ拡張スロット２００）を含む。
【００２８】
　各々のＰＣＩ拡張スロット２０６がバックプレーン２１０の上に設けられ（例えば、半田或いは他の適切な方法で）、更に各々のＰＣＩ拡張スロット２０６がＣＰＵインタフェースカード２０４に使われる以外に、ＰＣＩバスを具える他のインタフェースカード（例えば、画像処理インタフェースカード、サウンドカード、ＬＡＮカード或いは他のカード）に使われることもできることによって、工業用コンピュータの機能を拡張する。ＣＰＵインタフェースカード２０４に設けられてあるエッジコネクタは、ＰＣＩ拡張スロット２０６に差し込むこととして使われ、ＰＣＩ拡張スロット２０６とＣＰＵインタフェースカード２０４との間にあるＰＣＩバスによってデータ伝送を行い、ＣＰＵインタフェースカード２０４の機能を実行する。
【００２９】
　ＩＳＡ/ＥＩＳＡ拡張スロット２０８がバックプレーン２１０の上に設けられ（例えば、ＩＳＡ/ＥＩＳＡ拡張スロット２０８をバックプレーン２１０の上に直接に半田する）、その中、ＩＳＡ/ＥＩＳＡバスがＣＰＵインタフェースカード２０４に統合される。好ましい実施例の中で、各々のＩＳＡ/ＥＩＳＡ拡張スロット２０８がそれぞれ各々のＰＣＩ拡張スロット２０６と一列に配置され、ＣＰＵインタフェースカード２０４が同時にＰＣＩ拡張スロット２０６とＩＳＡ/ＥＩＳＡ拡張スロット２０８に差し込まれることができる。
【００３０】
　ＡＧＰ拡張スロット２００は、バックプレーン２１０の上に設けられ（例えば、ＡＧＰ拡張スロット２００をバックプレーン２１０の上に直接に半田する）、外付けのＡＧＰインタフェースカード２１２に接続されるのに使われ、ＡＧＰインタフェースカード２１２にあるグラフィックチップによって画像信号を処理し、更に処理された画像信号を表示装置に伝送し、これによってＣＰＵインタフェースカード２０４のＡＧＰバスを拡張する。好ましい実施例の中で、ＡＧＰ拡張スロット２００がＩＳＡ/ＥＩＳＡ拡張スロット２０８と相隣る。
【実施例２】
【００３１】
　続いて、図３を参照するに、図３は、本考案によるＡＧＰを具えるバックプレーンの第二の実施例を表す説明図である。本考案によるＡＧＰ拡張スロットを具えるバックプレーン３１０は、複数のＰＣＩ拡張スロット３０６と、第一ＡＧＰ拡張スロット３００ａと、第二ＡＧＰ拡張スロット３００ｂとを含み、更にＣＰＵインタフェースカード３０４及び他の周辺機器と合わせて、コンピュータシステムを構成する。
【００３２】
　各々のＰＣＩ拡張スロット３０６がバックプレーン３１０の上に設けられ、ＰＣＩバスを具えるＣＰＵインタフェースカード３０４に適用され、ＰＣＩバスの伝送によってＣＰＵインタフェースカード３０４の機能を実行し、その中、ＣＰＵインタフェースカード３０４の中に一列のエッジコネクタが設けてあり、更にＰＣＩ拡張スロット３０６が他のインタフェースカード（例えば、サウンドカード、ＬＡＮカードなど）に選択的に差し込まれる。第一ＡＧＰ拡張スロット３００ａがバックプレーン３１０の上に設けられ、更にＰＣＩ拡張スロット３０６と一列に配置され、ＣＰＵインタフェースカード３０４を同時にＰＣＩ拡張スロット３０６と第一ＡＧＰ拡張スロット３００ａに差し込むことができる。
【００３３】
　第二ＡＧＰ拡張スロット３００ｂがバックプレーン３１０の上に設けられ、更に第二ＡＧＰ拡張スロット３００ｂが第一ＡＧＰ拡張スロット３００ａの電気的な延長であり、ＣＰＵインタフェースカード３０４のＡＧＰバスを拡張することとして使われる。好ましい実施例の中で、第一ＡＧＰ拡張スロット３００ａと第二ＡＧＰ拡張スロット３００ｂがバックプレーン３１０の上に直接に半田され、ＡＧＰグラフィックカード３１２を拡張することとして使われ、ＡＧＰグラフィックチップによって画像信号を処理する。
【００３４】
　本考案によるＡＧＰバスは、主にグラフィックカードに対して設計され、グラフィックチップとＣＰＵとの間にある専用バスとして使われ、特に複雑な３Ｄ画像或いはＣＧアニメーションソフトウエアにおける環境で、大量の画像データ伝送を行う時に、メモリとグラフィックチップとの間にデータを快速的に伝送するのに使われうる。本考案によるバックプレーン３１０に採用されるＡＧＰの規格がＡＧＰ１ｘ/２ｘ/４ｘにすることができ、もっと高い倍率のインタフェース規格にすることもできる。
【実施例３】
【００３５】
　続いて、図４を参照するに、図４は、本考案によるＡＧＰを具えるバックプレーンの第三の実施例を表す説明図である。本考案によるＡＧＰ拡張スロット４００を具えるバックプレーン４１０は、ＩＳＡ/ＥＩＳＡバスを具えるＣＰＵインタフェースカード４０４及び他の周辺機器と合わせて、コンピュータシステムを構成する。前記バックプレーン４１０は、少なくとも一つのＩＳＡ/ＥＩＳＡ拡張スロット４０６及び一つのＡＧＰ拡張スロット４００を含む。
【００３６】
　ＩＳＡ/ＥＩＳＡ拡張スロット４０６がバックプレーン４１０の上に接続され、ＩＳＡ/ＥＩＳＡバスを具えるＣＰＵインタフェースカード４０４に適用され、ＩＳＡ/ＥＩＳＡバスの伝送によってＣＰＵインタフェースカード４０４の機能を実行する。その他、ＡＧＰ拡張スロット４００がバックプレーン４１０の上に設けられ（例えば、ＡＧＰ拡張スロット４００をバックプレーン４１０の上に直接に半田する）、更にＩＳＡ/ＥＩＳＡ拡張スロット４０６と相隣し、又は、ＡＧＰ拡張スロット４００がＡＧＰインタフェースカード４０８を拡張することとして使われることができ、ＡＧＰインタフェースカード４０８にエッジコネクタが設けてあり、ＡＧＰ拡張スロット４００に差し込むこととして使われ、ＡＧＰ拡張スロット４００とＡＧＰインタフェースカード４０８との間にあるＡＧＰバスによってデータ伝送を行い、画像信号を処理し、更に処理された画像信号を表示装置に伝送する。
【００３７】
　上に述べた三つの実施例は、ＡＧＰ拡張スロットをバックプレーンの上に設け、ＡＧＰインタフェースカードがＡＧＰ拡張スロットに差し込まれる時に、他の拡張スロットにあるインタフェースカードと互いに平行しており、更に他の拡張スロットの空間を邪魔しなくて、使われる空間を節約することができる。
【００３８】
　本考案によるＡＧＰ拡張スロットは、ＡＧＰグラフィックカードと合わせて、データをすばやくコンピュータシステムのチップセットに伝送する外に、統合メモリアーキテクチャ(Unified Memory Architecture,
UMA)技術によって、コンピュータシステムのメインメモリをグラフィックメモリとして使い、メインメモリを直接に使い、必要される表示データをやり取りすることによって、高値のグラフィックメモリの数を減らす。
【００３９】
　以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲の範囲に属するものとする。
【図面の簡単な説明】
【００４０】
【図１】従来技術によるバックプレーンの基本構造を表す説明図である。
【図２】本考案によるＡＧＰを具えるバックプレーンの第一の実施例を表す説明図である。
【図３】本考案によるＡＧＰを具えるバックプレーンの第二の実施例を表す説明図である。
【図４】本考案によるＡＧＰを具えるバックプレーンの第三の実施例を表す説明図である。
【符号の説明】
【００４１】
１００、２１０、３１０、４１０　　　バックプレーン
１０２、２００、４００　　　ＡＧＰ拡張スロット
１０４、２０４、３０４、４０４　　　ＣＰＵインタフェースカード
１０６　　　拡張スロット
１０８、３１２　　　ＡＧＰグラフィックカード
２０６、３０６　　　ＰＣＩ拡張スロット
２０８、４０６　　　ＩＳＡ/ＥＩＳＡ拡張スロット
２１２、４０８　　　ＡＧＰインタフェースカード
３００ａ　　　第一ＡＧＰ拡張スロット
３００ｂ　　　第二ＡＧＰ拡張スロット
【図１】
0003100337.tif 000003
【図２】
0003100337.tif 000004
【図３】
0003100337.tif 000005
【図４】
0003100337.tif 000006